(57)【要約】
【課題】　変形しないおむすびを提供する。
【解決手段】　おむすび１、ドライミート２及び中の具３からなる。決まった量のごはん４を異なった形状のおむすび製作用の型に入れて、個人の好みに合わせていろいろな調味料や材料から構成される中の具３をごはん４の上に置き、おむすび製作用型で決まった量のごはん４及びごはんの上に置かれた調味料や材料を押し、異なった形状のおむすびを型押しして、おむすび製作用型を組み合わせることにより、便利で、且つスピーディーに衛生的で調理の手間もいらないおむすび製品の製作が完成する。あらかじめ決まったサイズの柔らかいドライミート２を製作し、異なった形状のおむすび１を包み、異なったおむすび１の外側をドライミート２で包むことによって、おむすび１の製作過程が完了し、食用に供する。
【選択図】　　図５Ｃ
0003099899.tif 000002
【実用新案登録請求の範囲】
【請求項１】
　決まった量のごはんを異なった形状のおむすび製作用の型に入れて、個人の好みに合わせていろいろな調味料や材料から構成される中の具をごはんの上に置き、おむすび製作用型で決まった量のごはん及びごはんの上に置かれた調味料や材料を押し、異なった形状に型押しして、上述のおむすび製作用型を組み合わせて製作される、便利で、且つスピーディーに衛生的で調理の手間もいらないおむすび製品と、
　あらかじめ決まったサイズに製作され、上述の異なった形状のおむすび製品を包み、おむすび製品の外側を包む柔らかいドライミートと、
　を備えることを特徴とするおむすび。
【請求項２】
　ドライミートは、各種動植物材料から製作されることを特徴とする請求項１に記載のおむすび。
【請求項３】
　各動植物材料は、鶏肉、豚肉、魚、牛肉又は精進材料であることを特徴とする請求項２に記載のおむすび。
【請求項４】
　ドライミートに、ごま、ナッツ類、ピーナッツ又はアーモンドなどの餡材料を加えることも可能であることを特徴とする請求項１に記載のおむすび。
【考案の詳細な説明】
【技術分野】
【０００１】
　本考案は、おむすびに関する。本考案のおむすびは、外側を柔らかいドライミートで包んでいるので、包装作業がしやすいだけでなく、ドライミートが破れることがなく、味も口当たりもよい。
【背景技術】
【０００２】
　一般のおむすびの構造は、図１Ａ及び図１Ｂに示すように、決まった量のごはんを異なった形状のおむすびＡの製作型に入れて、個人の好みによって調味料や材料によって構成される具をごはんに加えて、おむすびの型でご飯と具とを押して、異なった形状のおむすびＡを作る。上述のおむすびＡ製作型を使用することによって、便利且つスピーディーに衛生的で調理の手間がいらないおむすびＡ製品が製造される。
【０００３】
　さらに、上述の異なった形状のおむすびＡは、全て外側を決まったサイズの海苔Ｂでこれを包むようになっている。異なった形状のおむすびＡの外側を一枚の海苔Ｂで包んで、おむすびＡの製作が完成する。そして、食用に供する。
【考案の開示】
【考案が解決しようとする課題】
【０００４】
　図２Ａ及び図２Ｂを参照いただきたい。しかしながら、おむすびＡの外側の海苔Ｂは、外気の湿気を受けて湿気りやすい。あるいは、開封してすぐに食用しない場合、海苔Ｂは、柔らかく、べたべたになってしまう。そして、長く置けないので、保存及び収納上、かなり面倒であり、不便である。特に、海苔Ｂが湿気ると、味が落ちる上、海苔Ｂが手について、食用後に手を洗う必要が生じるという欠点がある外、海苔Ｂが湿気ると、おむすびＡ全体を現状のままの状態で保持することができず、美感も損ねるという欠点も生じる。
【課題を解決するための手段】
【０００５】
　本考案のおむすびは、おむすび、ドライミート及び中の具からなる。本考案のおむすびは、柔らかいドライミートで便利に形状の異なったおむすびを包むことができる。ドライミートは外気の湿気を受けにくく、開封してすぐに食用しなくても、ドライミートは海苔に比べて湿気りにくいという特長を持つ。さらに、長く置けるので、保存及び収納上、便利で簡単である。特に、ドライミートは湿気を受けて柔らかくなったり、べたついたりせず、食用の過程における口当たりも各種動植物性の材料と組み合わせることでまた格別の味わいが生まれ、美味である。また、手に取っても、ドライミートが手につくことがなく、食用後に手を洗う必要がない。その上、ドライミートは湿気りにくいので、おむすび全体を現状のままの状態で保持することができ、変形もせず、美感も損ねるという欠点もない。
【考案を実施するための最良の形態】
【０００６】
　図３Ａ、図３Ｂ、図４Ａ、図４Ｂ、図４Ｃ、図５Ａ、図５Ｂ及び図５Ｃを参照いただきたい。本考案の一実施例によるおむすびは、おむすび１、ドライミート２及び中の具３からなる。
　おむすび１は、決まった量のごはん４を異なった形状のおむすび１製作用の型に入れて、個人の好みに合わせていろいろな調味料や材料から構成される中の具３をごはん４の上に置き、おむすび１製作用型で決まった量のごはん４及びごはん４の上に置かれた調味料や材料を押し、異なった形状のおむすび１を型押しする。上述のおむすび１製作用型を組み合わせることにより、便利で、且つスピーディーに衛生的で調理の手間もいらないおむすび１製品の製作が完成する。
【０００７】
　ドライミート２は、各動植物材料（例えば、鶏肉、豚肉、魚、牛肉又は精進材料等）から製造される決まったサイズの柔らかいシート状のもので、このドライミート２は異なった味付けがなされ、さらに、この決まったサイズの柔らかいドライミート２で上述の異なった形状のおむすび１を包み、同時に、ドライミート２が持つ柔軟度によって、異なった形状のおむすび１を包む際、便利に作業が進み、ドライミートの形状が完全に保たれ、破れたり、破損したりすることがない（一般のドライミートは、加工してシート状にした時、厚みと硬さがある。それに、一般に、ドライミートは咀嚼しにくい。故に、一旦、おむすび１が包まれると、それ自身の厚みと硬さから、本実施例のように、柔らかいドライミート２は外からの力を受けて任意に曲がって、便利におむすびの外側を包むということができない上に、仮に、何とか包めたとしても、破れたり、破損したりする状況が生じる。因みに、本実施例のドライミート２はそれが発生しない）。異なった形状のおむすび１がドライミート２で包まれると、おむすび１の製作が完成する。そして、食用に供する。
【０００８】
　本実施例の柔らかいドライミート２は、異なった形状のおむすびを包む時、ドライミート２が外気の影響を受けて湿気ることが少ない。あるいは、開封してすぐに食用しない時、ドライミート２は海苔Ｂのように、柔らかくなったり、べたついたりしない。そして、長く置くこともでき、保存及び収納に便利である。特に、ドライミート２が湿気て柔らかくなったり、べたついたりしにくいため、食用の過程における口当たりだけでなく、手に取る際にも、ドライミート２は手に付かず、おむすび１を食用の後、手を洗う必要がない。さらに、ドライミートは湿気りにくいので、おむすび１を現状のままの状態で保持することができ、変形もせず、美感を損ねるという欠点もない。
【０００９】
　形状の異なったおむすび１を食用する時、本実施例のドライミート２によって包むことで、単一の味の海苔Ｂより味が豊富で、中の具３がなくても、食べて味気がないといった問題が発生しない。さらに、ドライミート２に動植物性の鶏肉、豚肉、魚、牛肉又は精進材料等を加えたり、ドライミート２に各種の餡材料（例えば、ごま、ナッツ類、ピーナッツ又はアーモンドなどで、海苔はよくない）と組み合わせたりすることで、また格別の味わいが生まれ、単一の味の海苔Ｂによっておむすび１を包むより美味である。また、ドライミート２でおむすび１を包むと、開封後、食べやすい。その上、ドライミート２は温めても、冷たいままでも食用可能で、特に、冬には、電子レンジで温めても変質しない（海苔Ｂは電子レンジで温めると、すぐにべたついてしまい、加熱することは不可能である）。
【００１０】
　本実施例のおむすびは、柔らかいドライミートで便利に異なった形状のおむすびを包んでいる。ドライミートは外気の湿気を受けにくく、開封してすぐに食用しなくても、ドライミートは海苔に比べて湿気りにくいという特長を持つ。
【００１１】
　さらに、ドライミートは湿気を受けて柔らかくなったり、べたついたりせず、食用の過程における口当たりも、各種動植物性の材料と組み合わせることで、また格別の味わいが生まれ、美味である。
【００１２】
　また、手に取っても、ドライミートが手につくことがなく、食用後に手を洗う必要がない。その上、ドライミートは湿気りにくいので、おむすび全体を現状のままの状態で保持することができ、変形もせず、美感を損ねるという欠点もない。
【図面の簡単な説明】
【００１３】
【図１Ａ】従来のおむすびに使用している海苔の外観図である。
【図１Ｂ】従来のおむすびを海苔で包んだ状態を示す外観図である。
【図２Ａ】従来の海苔が湿気た状態を示す図である。
【図２Ｂ】従来のおむすびを包んだ海苔が湿気た状態を示す図である。
【図３Ａ】本考案の一実施例によるドライミートの外観図である。
【図３Ｂ】本考案の一実施例によるドライミートの外観図である。
【図４Ａ】本考案の一実施例によるおむすびをドライミートで包む過程を示す図である。
【図４Ｂ】本考案の一実施例によるおむすびをドライミートで包む過程を示す図である。
【図４Ｃ】本考案の一実施例によるおむすびをドライミートで包む過程を示す図である。
【図５Ａ】本考案の一実施例による各形状のおむすびをドライミートで包んだ状態を示す図である。
【図５Ｂ】本考案の一実施例による各形状のおむすびをドライミートで包んだ状態を示す図である。
【図５Ｃ】本考案の一実施例による各形状のおむすびをドライミートで包んだ状態を示す図である。
【符号の説明】
【００１４】
　１　おむすび、２　ドライミート、３　中の具、４　ごはん
【図１Ａ】
0003099899.tif 000003
【図１Ｂ】
0003099899.tif 000004
【図２Ａ】
0003099899.tif 000005
【図２Ｂ】
0003099899.tif 000006
【図３Ａ】
0003099899.tif 000007
【図３Ｂ】
0003099899.tif 000008
【図４Ａ】
0003099899.tif 000009
【図４Ｂ】
0003099899.tif 000010
【図４Ｃ】
0003099899.tif 000011
【図５Ａ】
0003099899.tif 000012
【図５Ｂ】
0003099899.tif 000013
【図５Ｃ】
0003099899.tif 000014